(57)【要約】【課題】地震発生時にユーザの周囲の状況に応じて、ユーザに適切な行動を促す無線通信端末装置及び警告表示方法を提供する。【解決手段】通信制御部１０２が緊急速報を受信し、回避方法判断部１０６が撮影部１０４に指示してカメラ１０５に周辺の様子を撮像させ、得られた画像から周辺に存在する物体を検出する。回避方法判断部１０６は、検出した物体が危険情報記憶部１０７に登録されているか否かを判定し、登録されている場合には、検出された物体に予め対応付けて登録された危険分類を取得する。警告表示生成部１０８は、回避方法判断部１０６に酔って取得された危険分類を警告表示する情報を生成し、警告送信制御部１０９は、回避方法判断部１０６によって検出された画像に警告表示情報を合成し、表示部１１１が合成画像を表示する。【選択図】図１
2013182278.tif 000002
【特許請求の範囲】
【請求項１】
緊急速報を受信する受信手段と、
前記緊急速報の受信を契機に撮像を行う撮像手段と、
予め物体の画像パターン及び危険分類を対応付けて記憶する記憶手段と、
撮像された画像に映った物体が前記記憶手段に記憶された画像パターンと一致する物体を特定する判断手段と、
特定された前記物体に対応付けられた危険分類に基づく警告表示情報を生成する警告表示生成手段と、
撮像された前記画像に前記警告表示情報を合成表示する表示手段と、
を具備する無線通信端末装置。
【請求項２】
ユーザに対して、特定された前記物体までの方向を解析する解析手段と、
前記ユーザから特定された前記物体までの距離を計算する距離計算手段と、
物体に対応付けられたメッセージを保持し、特定された前記物体に応じたメッセージを検索し、検索したメッセージに前記方向及び前記距離を含めて回避情報を生成する回避情報生成手段を具備し、
前記表示手段は、撮像された前記画像に前記警告表示情報及び前記回避情報を合成表示する、
請求項１に記載の無線通信端末装置。
【請求項３】
緊急速報を受信する受信工程と、
前記緊急速報の受信を契機に撮像を行う撮像工程と、
撮像された画像に映った物体が、予め記憶された画像パターンと一致する物体を特定する判断工程と、
特定された前記物体に対応付けられた危険分類に基づく警告表示情報を生成する警告表示生成工程と、
撮像された前記画像に前記警告表示情報を合成表示する表示工程と、
を具備する警告表示方法。
【発明の詳細な説明】
【技術分野】
【０００１】
本発明は、緊急速報を受信する無線通信端末装置及び当該装置における警告表示方法に関する。
【背景技術】
【０００２】
地震のような緊急事態が発生した際に、個人個人が周辺状況に合わせて、タイムリーに適切な判断を行い、安全を確保するニーズが高まっている。以下、地震を例に説明する。
【０００３】
大規模な地震が発生した際に、震源からの揺れは、Ｐ波（Primary Wave）（第一波）と、Ｓ波（Secondary Wave）（第二波）とによって伝播する。Ｐ波とＳ波とでは、伝播速度が異なり、遠方における到達時間に差が生じる。このため、震源付近でＰ波を観測及び解析することにより、遠方におけるＳ波の到達時刻を予測することが可能となる。
【０００４】
このような地震の到達予測システムとして、気象庁より緊急地震速報が配信されるシステムが稼動している。また、このように配信された緊急地震速報は、携帯電話網を利用して、エリアメールやＥＴＳ（Emergency Telecommunication Service）、ＥＴＷＳ（Earthquake and Tsunami Warning System）と呼称される方法によって、各ユーザに配信されている。携帯電話網を利用した緊急地震速報は、基地局からそのエリア内に存在する各通信端末に対して一斉に通知される。
【０００５】
緊急地震速報を利用した技術として、特許文献１に開示の位置情報報知システムが開示されている。特許文献１に開示の位置情報報知システムは、Ｐ波による地震発生を検出した時点において、Ｓ波が到達して通信が混雑する前に、登録者の現在位置情報を取得及び通知するものである。
【先行技術文献】
【特許文献】
【０００６】
【特許文献１】特開２００８−２４２５８４号公報
【発明の概要】
【発明が解決しようとする課題】
【０００７】
上記特許文献１に開示の技術では、地震発生時のユーザの位置が分かるため、倒壊した家屋などにより身動きが取れなくなったユーザをいち早く発見、救助するのに役立つ。しかしながら、必ずしもユーザは身動きが取れなくなる訳ではなく、特許文献１に開示の技術では、このような状況を想定していないため、差し迫った脅威に対して、ユーザの周囲の状況に応じた適切な行動を促すことはできない。
【０００８】
本発明の目的は、地震発生時にユーザの周囲の状況に応じて、ユーザに適切な行動を促す無線通信端末装置及び警告表示方法を提供することである。
【課題を解決するための手段】
【０００９】
本発明の無線通信端末装置は、緊急速報を受信する受信手段と、前記緊急速報の受信を契機に撮像を行う撮像手段と、予め物体の画像パターン及び危険分類を対応付けて記憶する記憶手段と、撮像された画像に映った物体が前記記憶手段に記憶された画像パターンと一致する物体を特定する判断手段と、特定された前記物体に対応付けられた危険分類に基づく警告表示情報を生成する警告表示生成手段と、撮像された前記画像に前記警告表示情報を合成表示する表示手段と、を具備する構成を採る。
【００１０】
本発明の警告表示方法は、緊急速報を受信する受信工程と、前記緊急速報の受信を契機に撮像を行う撮像工程と、撮像された画像に映った物体が、予め記憶された画像パターンと一致する物体を特定する判断工程と、特定された前記物体に対応付けられた危険分類に基づく警告表示情報を生成する警告表示生成工程と、撮像された前記画像に前記警告表示情報を合成表示する表示工程と、を具備するようにした。
【発明の効果】
【００１１】
本発明によれば、地震発生時にユーザの周囲の状況に応じて、ユーザに適切な行動を促すことができる。
【図面の簡単な説明】
【００１２】
【図１】本発明の一実施の形態に係る無線通信端末装置の構成を示すブロック図
【図２】図１に示す危険情報記憶部が備える危険情報テーブルの一例を示す図
【図３】図１に示す端末の緊急速報受信時の動作手順を示すフロー図
【図４】警告表示の具体例を示す図
【図５】他の警告表示の具体例を示す図
【発明を実施するための形態】
【００１３】
以下、本発明の実施の形態について、図面を参照して詳細に説明する。
【００１４】
（一実施の形態）
図１は、本発明の一実施の形態に係る無線通信端末装置（以下、単に「端末」という）１００の構成を示すブロック図である。以下、図１を用いて端末１００の構成について説明する。
【００１５】
通信制御部１０２は、アンテナ１０１を介して受信した緊急速報に所定の無線受信処理を施して、緊急速報解析部１０３に出力する。
【００１６】
緊急速報解析部１０３は、通信制御部１０２から出力された緊急速報を解析し、地震、津波、火災等の災害の種別を取得する。緊急速報解析部１０３は、取得した災害種別を回避方法判断部１０６に出力する。
【００１７】
撮影部１０４は、回避方法判断部１０６の指示を受けて、カメラ１０５から画像を入力し、入力した画像を回避方法判断部１０６に出力する。
【００１８】
回避方法判断部１０６は、緊急速報解析部１０３から災害種別が出力されると、撮影部１０４にカメラ１０５の起動を指示し、カメラ１０５によって撮像された画像を撮影部１０４から取得して、警告送信制御部１０９に出力する。
【００１９】
また、回避方法判断部１０６は、撮影部１０４から取得した画像を解析し、ユーザ周辺に存在する物体を検出し、検出した物体が危険情報記憶部１０７に登録されているか否かを判定する。この判定は、パターンマッチングなどの既存の技術を用いて行われる。検出された物体が危険情報記憶部１０７に登録されている場合、回避方法判断部１０６は、検出された物体に対応付けて登録された危険分類（落下、火災、倒壊、水漏等）を危険情報記憶部１０７から取得し、取得した危険分類を警告表示生成部１０８に出力する。
【００２０】
また、回避方法判断部１０６は、検出された物体であって、危険情報記憶部１０７に登録されていた物体の位置情報及びユーザの位置情報を算出し、算出したこれらの位置情報を危険回避情報生成部１１２に出力する。
【００２１】
さらに、回避方法判断部１０６は、危険回避情報生成部１１２から出力された回避情報を警告送信制御部１０９に出力する。
【００２２】
危険情報記憶部１０７は、図２に示すように、物体名称、場所／部屋、危険度、危険分類、耐震（震度）、備考を対応付けた危険情報テーブルを保持している。ここで、危険度としては、人命に関わる危険を危険度Ａ、家屋損壊を危険度Ｂ、汚染を危険度Ｃとしている。なお、各物体には、物体を特定する画像パターンも対応付けられている。
【００２３】
警告表示生成部１０８は、回避方法判断部１０６から出力された危険分類を警告表示する情報を生成する。例えば、危険分類が火災であった場合には、「火災警報」又は「火災危険」などの警告表示情報を生成する。生成された警告表示情報は警告送信制御部１０９に出力される。
【００２４】
警告送信制御部１０９は、回避方法判断部１０６から出力された画像に、回避方法判断部１０６から出力された回避情報及び警告表示生成部１０８から出力された警告表示情報を合成して、合成画像を表示制御部１１０に出力する。
【００２５】
表示制御部１１０は、警告送信制御部１０９から出力された合成画像を、表示部１１１の解像度に応じて制御して、表示部１１１に出力する。
【００２６】
表示部１１１は、表示制御部１１０から出力された合成画像を表示する。
【００２７】
危険回避情報生成部１１２は、方向解析部１１３、距離計測部１１４及び回避情報生成部１１５を備えている。方向解析部１１３は、回避方法判断部１０６から出力された検出物体の位置情報及びユーザの位置情報に基づいて、ユーザに対する検出物体の方向を解析し、解析結果を回避情報生成部１１５に出力する。
【００２８】
距離計測部１１４は、回避方法判断部１０６から出力された検出物体の位置情報及びユーザの位置情報に基づいて、ユーザと検出物体との距離を計算し、計算結果を回避情報生成部１１５に出力する。
【００２９】
回避情報生成部１１５は、物体に対応付けられたメッセージを保持しており、回避方法判断部１０６から出力された検出物体に応じたメッセージを検索し、検索したメッセージに方向解析部１１３から出力された方向と、距離計測部１１４から出力された距離とを含めて回避情報を生成する。ここで、回避情報としては、例えば、検出物体がストーブの場合には、「左前方２ｍのストーブを今すぐ消して！」などのメッセージであったり、検出物体が花瓶の場合には、「右前方１ｍの花瓶を下ろして！」などのメッセージであったりする。生成された回避情報は、回避方法判断部１０６に出力される。
【００３０】
次に、上述した端末１００の緊急速報受信時の動作について図３を用いて説明する。図３において、ステップ（以下、「ＳＴ」と省略する）２０１では、緊急速報解析部１０３が緊急速報を解析し、災害種別を取得する。
【００３１】
ＳＴ２０２では、回避方法判断部１０６が撮影部１０４から取得した画像を解析し、ユーザ周辺に存在する物体が危険情報記憶部１０７に登録されているか否かを検索して判定する。
【００３２】
ＳＴ２０３では、ユーザ周辺に存在する物体が危険情報記憶部１０７に登録されている場合、方向解析部１１３が検出物体の位置情報及びユーザの位置情報に基づいて、ユーザに対する検出物体の方向を解析し、ＳＴ２０４では、距離計測部１１４は、検出物体の位置情報及びユーザの位置情報に基づいて、ユーザと検出物体との距離を計算し、ＳＴ２０５では、回避情報生成部１１５がユーザから検出物体までの方向と距離とを含む回避情報を生成する。
【００３３】
ＳＴ２０６では、警告表示生成部１０８が危険分類を警告表示する情報を生成し、ＳＴ２０７では、表示部１１１に警告表示を行い、端末１００の緊急速報受信時の動作を終了する。
【００３４】
次に、警告表示の具体例として、部屋の中の場合を図４に示す。図４では、部屋の中において、ユーザの周辺に本棚、ストーブ、花瓶があった場合を示している。端末はこれらの物体に対応する警報、すなわち、本棚には「転倒警報」、ストーブには「火災警報」、花瓶には「落下警報」をＡＲ（Augmented Reality）表示する。また、回避情報として、「左前方２ｍのストーブを今すぐ消して！」、「右前方１ｍの花瓶を下ろして！」及びストーブに対して「スイッチＯＦＦ！」をＡＲ表示する。
【００３５】
ユーザは、このような表示を確認し、例えば、地震のＳ波が到来する前に、ストーブのスイッチをＯＦＦにする、花瓶を床に下ろす、本棚から離れるなどの危険回避行動を取ることができ、安全を確保しつつ、地震による被害を抑えることができる。
【００３６】
このように、本実施の形態によれば、緊急速報を受信した端末が、周辺の様子を撮像し、得られた画像から周辺に存在する物体を検出し、検出された物体に予め対応付けて登録された危険分類を示す警告を表示することにより、ユーザは、短い時間の中で、周囲の状況に応じた適切な行動を取ることができる。
【００３７】
（他の実施の形態）
上記実施の形態では、ユーザが部屋の中にいる場合を例に説明したが、ここでは、ユーザがエレベータの中にいる場合について図５を用いて説明する。
【００３８】
図５では、エレベータ内において、ユーザが５階を上昇中であった場合を示しており、端末はエレベータ内に対応する警報、すなわち、「閉じ込め警報」をＡＲ表示する。また、回避情報として、「６階を押して！」及び最寄り階である６階のボタンに対して「すぐ押して！」をＡＲ表示する。
【００３９】
これを受けて、ユーザは、素早く６階のボタンを押すことにより、最寄り階でエレベータを停止させ、エレベータ内に閉じ込められる危険を回避することができる。
【産業上の利用可能性】
【００４０】
本発明にかかる無線通信端末装置及び警告表示方法は、移動通信システム等に適用できる。
【符号の説明】
【００４１】
１０１  アンテナ
１０２  通信制御部
１０３  緊急速報解析部
１０４  撮影部
１０５  カメラ
１０６  回避方法判断部
１０７  危険情報記憶部
１０８  警告表示生成部
１０９  警告送信制御部
１１０  表示制御部
１１１  表示部
１１２  危険回避情報生成部
１１３  方向解析部
１１４  距離計測部
１１５  回避情報生成部
【図１】
2013182278.tif 000003
【図２】
2013182278.tif 000004
【図３】
2013182278.tif 000005
【図４】
2013182278.tif 000006
【図５】
2013182278.tif 000007